【手続補正書】
【提出日】平成24年10月10日(2012.10.10)
【手続補正１】
【補正対象書類名】特許請求の範囲
【補正対象項目名】全文
【補正方法】変更
【補正の内容】
【特許請求の範囲】
【請求項１】
複数の映像信号を受信可能な受信手段と、
前記受信手段で受信されている第１の映像信号を出力する出力手段と、
前記受信手段で受信されている前記第１の映像信号の所定のフレームを撮影した撮影装置を特定する特定手段と、
前記特定手段で特定された撮影装置により撮影された第２の映像信号を、前記受信手段で受信可能か否か判断する判断手段と、
前記判断手段で前記第２の映像信号が受信可能であると判断された場合に、前記第２の映像信号を受信可能であることを示す情報を出力する通知手段と、を有することを特徴とする映像受信装置。
【請求項２】
ユーザからの前記第２の映像信号の出力要求の入力を受け付ける入力手段と、
前記通知手段で前記第２の映像信号を受信可能であることを示す情報が出力されている際に、前記第２の映像信号の出力要求の入力があった場合に、前記特定手段で特定された撮影装置の情報を登録する登録手段と、をさらに有し、
前記登録手段で登録された撮影装置と異なる撮影装置が前記特定手段で特定された場合に、前記出力手段は、前記第１の映像信号と前記第２の映像信号とを合成して出力することを特徴とする請求項１に記載の映像受信装置。
【請求項３】
ユーザからの前記第２の映像信号の出力要求の入力を受けつける入力手段をさらに有し、
前記通知手段で前記第２の映像信号を受信可能であることを示す情報が出力されている際に、前記第２の映像信号の出力要求の入力があった場合に、前記出力手段は、出力する映像信号を前記第１の映像信号から前記第２の映像信号に切り替えることを特徴とする請求項１に記載の映像受信装置。
【請求項４】
前記第２の映像信号を撮影した撮影装置の情報を記憶する記憶手段をさらに有し、
前記通知手段は、前記記憶手段で記憶された撮影装置の情報を前記第２の映像信号を受信可能であることを示す情報として出力することを特徴とする請求項１乃至３のいずれか１項に記載の映像受信装置。
【請求項５】
前記出力手段が前記第２の映像信号を出力している際に、前記第２の映像信号を撮影した撮影装置と同一の撮影装置で前記第１の映像信号が撮影されたことが前記特定手段で特定された場合に、前記出力手段は、出力する映像信号を前記第２の映像信号から前記第１の映像信号に切り替えることを特徴とする請求項３に記載の映像受信装置。
【請求項６】
複数の映像信号を受信可能な受信手段と、
前記受信手段で受信されている第１の映像信号を出力する出力手段と、
前記受信手段で受信されている前記第１の映像信号の所定のフレームの被写体を特定する特定手段と、
前記特定手段で特定された被写体を含む第２の映像信号を、前記受信手段で受信可能か否か判断する判断手段と、
前記判断手段で前記第２の映像信号が受信可能であると判断された場合に、前記第２の映像信号を受信可能であることを示す情報を出力する通知手段と、を有することを特徴とする映像受信装置。
【請求項７】
複数の映像信号を受信可能な受信手段を有する映像受信装置の制御方法であって、
前記映像受信装置の出力手段が、前記受信手段で受信されている第１の映像信号を出力する出力工程と、
前記映像受信装置の特定手段が、前記受信手段で受信された前記第１の映像信号の所定のフレームを撮影した撮影装置を特定する特定工程と、
前記映像受信装置の判断手段が、前記特定工程で特定された撮影装置で撮影された第２の映像信号を、前記受信手段で受信可能か否か判断する判断工程と、
前記映像受信装置の通知手段が、前記判断工程で前記第２の映像信号が受信可能であると判断された場合に、前記第２の映像信号を受信可能であることを示す情報を出力する通知工程と、を有することを特徴とする映像受信装置の制御方法。
【請求項８】
前記映像受信装置の入力手段が、ユーザからの前記第２の映像信号の出力要求の入力を受け付ける入力工程と、
前記映像受信装置の登録手段が、前記通知工程で前記第２の映像信号を受信可能であることを示す情報が出力されている際に、前記第２の映像信号の出力要求の入力があった場合に、前記特定工程で特定された撮影装置の情報を登録する登録工程と、をさらに有し、
前記登録工程で登録された撮影装置と異なる撮影装置が前記特定工程で特定された場合に、前記出力手段は前記出力工程で、前記第１の映像信号と前記第２の映像信号とを合成して出力することを特徴とする請求項７に記載の映像受信装置の制御方法。
【請求項９】
前記映像受信装置の入力手段が、ユーザからの前記第２の映像信号の出力要求の入力を受けつける入力工程をさらに有し、
前記通知工程で前記第２の映像信号を受信可能であることを示す情報が出力されている際に、前記第２の映像信号の出力要求の入力があった場合に、前記出力手段は前記出力工程で、出力する映像信号を前記第１の映像信号から前記第２の映像信号に切り替えることを特徴とする請求項７に記載の映像受信装置の制御方法。
【請求項１０】
前記映像受信装置の記憶手段が、前記第２の映像信号を撮影した撮影装置の情報を記憶する記憶工程をさらに有し、
前記通知手段は前記通知工程において、前記記憶工程で記憶された撮影装置の情報を前記第２の映像信号を受信可能であることを示す情報として出力することを特徴とする請求項７乃至９のいずれか１項に記載の映像受信装置の制御方法。
【請求項１１】
前記出力工程で前記第２の映像信号を出力している際に、前記第２の映像信号を撮影した撮影装置と同一の撮影装置で前記第１の映像信号が撮影されたことが前記特定工程で特定された場合に、前記出力手段は前記出力工程で、出力する映像信号を前記第２の映像信号から前記第１の映像信号に切り替えることを特徴とする請求項９に記載の映像受信装置の制御方法。
【請求項１２】
複数の映像信号を受信可能な受信手段を有する映像受信装置の制御方法であって、
前記映像受信装置の出力手段が、前記受信手段で受信されている第１の映像信号を出力する出力工程と、
前記映像受信装置の特定手段が、前記受信手段で受信されている前記第１の映像信号の所定のフレームの被写体を特定する特定工程と、
前記映像受信装置の判断手段が、前記特定工程で特定された被写体を含む第２の映像信号を、前記受信手段で受信可能か否か判断する判断工程と、
前記映像受信装置の通知手段が、前記判断工程で前記第２の映像信号が受信可能であると判断された場合に、前記第２の映像信号を受信可能であることを示す情報を出力する通知工程と、を有することを特徴とする映像受信装置の制御方法。
【手続補正２】
【補正対象書類名】明細書
【補正対象項目名】０００８
【補正方法】変更
【補正の内容】
【０００８】
前述の目的を達成するために、本発明の映像受信装置は、以下の構成を備える。
複数の映像信号を受信可能な受信手段と、受信手段で受信されている第１の映像信号を出力する出力手段と、受信手段で受信されている第１の映像信号の所定のフレームを撮影した撮影装置を特定する特定手段と、特定手段で特定された撮影装置により撮影された第２の映像信号を、受信手段で受信可能か否か判断する判断手段と、判断手段で第２の映像信号が受信可能であると判断された場合に、第２の映像信号を受信可能であることを示す情報を出力する通知手段と、を有することを特徴とする。
【手続補正３】
【補正対象書類名】明細書
【補正対象項目名】００２２
【補正方法】変更
【補正の内容】
【００２２】
Ｓ２０２で、ＣＰＵ１０７は記憶メモリ１０８に記憶されている、通常放送の番組属性情報が有するマルチアングル放送の有無の情報を参照し、通常放送で受信しているチャンネルがマルチアングル放送で映像信号を配信しているか否かを判断する。マルチアングル放送で映像信号を配信している場合、ＣＰＵ１０７は処理をＳ２０３に移し、マルチアングル放送で映像信号を配信していない場合、ＣＰＵ１０７は処理をＳ２０１に戻す。
【手続補正４】
【補正対象書類名】明細書
【補正対象項目名】００４０
【補正方法】変更
【補正の内容】
【００４０】
なお、Ｓ４０８において映像データの表示をマルチ画面表示に切り替えるものとして説明したが、Ｓ４０８のステップに至るまでの間に、マルチアングル放送にて、表示するカメラアングルの映像信号の配信がなくなった場合は、次のように処理すればよい。例えば、ＣＰＵ１０７はマルチアングル放送にて、表示するカメラアングルの映像信号の配信がなくなった時点で処理を強制的にＳ４０１に移すことにより、対応可能である。